(57)【要約】【課題】  能力向上と省エネ化を図ることができる車載用空調システムを提供する。【解決手段】  車載用空調システム１であって、空調出力の設定内容に係るイメージを反映した空調イメージ音響データを、個々の空調出力状態と対応付けて記憶する記憶部２００Ｈと、  空調出力状態の設定内容に基づいて、記憶部２００Ｈから対応する空調イメージ音響データを選択し、オーディオ駆動部６３０において、選択された空調イメージ音響データを車室内に再生出力する。【選択図】  図１
2008230400.tif 000002
【特許請求の範囲】
【請求項１】
空調出力状態設定操作部からの操作入力情報に基づいて、あるいは該操作入力情報と空調用センサからの検出結果情報とに基づいて、空調出力状態を設定する空調出力状態設定手段と、設定された該空調出力状態に基づいて空調出力制御を行なう空調出力制御手段とを備える車載用空調システムであって、
空調出力の設定内容に係るイメージを反映した空調イメージ音響データを、個々の前記空調出力状態と対応付けて記憶する空調イメージ音響データ記憶部と、
前記空調出力状態の前記設定内容に基づいて、前記空調イメージ音響データ記憶部から対応する前記空調イメージ音響データを選択する空調イメージ音響データ選択手段と、
選択された前記空調イメージ音響データを車室内に再生出力する空調イメージ音響データ再生出力手段と、
を備えることを特徴とする車載用空調システム。
【請求項２】
前記空調出力状態として冷房出力状態と暖房出力状態とを有し、前記空調イメージ音響データ記憶部には、冷房出力状態と暖房出力状態とにおいて互いに異なる前記空調イメージ音響データが対応付けて記憶されており、
前記空調イメージ音響データ選択手段は、前記冷房出力状態と前記暖房出力状態とを特定した上で、対応する前記空調イメージ音響データを選択するものである請求項１記載の車載用空調システム。
【請求項３】
前記空調出力制御手段は、前記空調イメージ音響データが再生出力される場合に、前記空調出力状態設定手段により設定された前記空調出力状態を、空調出力レベルを下げる方向に補正する空調出力状態補正手段を備え、補正された該空調出力状態に基づいて空調出力制御を行なうものである請求項１又は請求項２のいずれか１項に記載の車載用空調システム。
【請求項４】
前記空調用センサとして車内温度を検出する車内温度検出手段を備え、
前記空調出力状態補正手段は、空調気流の吹出し温度が前記車内温度検出手段の検出温度に接近するように補正するものである請求項３記載の車載用空調システム。
【請求項５】
前記空調出力状態補正手段は、空調気流の吹出し風量を減じる補正を行なうものである請求項３又は請求項４に記載の車載用空調システム。
【請求項６】
前記空調イメージ音響データは、前記空調出力状態補正手段による補正内容を対応付けた形で前記空調イメージ音響データ記憶部に記憶されており、
前記空調出力状態補正手段は、前記空調イメージ音響データ選択手段により選択された前記空調イメージ音響データに対応する補正内容にて、前記空調出力状態を補正する請求項３ないし請求項５のいずれか１項に記載の車載用空調システム。
【請求項７】
前記空調イメージ音響データ再生出力手段により前記空調イメージ音響データの再生出力に伴い車内に出力される聴覚空調出力音の聞き取りを補助する聴覚空調出力音聞き取り補助手段を備える請求項１ないし請求項６のいずれか１項に記載の車載用空調システム。
【請求項８】
前記聴覚空調出力音聞き取り補助手段は、前記空調出力状態の前記設定内容に基づいて、前記聴覚空調出力音の聞き取り補助レベルを変更するものである請求項７記載の車載用空調システム。
【請求項９】
前記聴覚空調出力音聞き取り補助手段は、前記空調出力状態の前記設定内容に基づいて、前記空調イメージ音響データ再生出力手段による前記空調イメージ音響データの再生音量を変更することにより、前記聴覚空調出力音の聞き取りを補助するものである前記空調イメージ音響データの再生出力される請求項８記載の車載用空調システム。
【請求項１０】
前記聴覚空調出力音聞き取り補助手段は、空調気流の吹出し風量が大きいほど前記再生音量を大きく設定するものである請求項９記載の車載用空調システム。
【請求項１１】
前記空調用センサとして車内温度を検出する車内温度検出手段を備え、
前記音響出力状態設定手段は、前記補助レベル変更手段が空調気流の吹出し設定温度と前記車内温度検出手段の検出温度との温度差が大きいほど前記再生音量を大きく設定するものである請求項９又は請求項１０に記載の車載用空調システム。
【請求項１２】
前記空調イメージ音響データ記憶部において個々の前記空調出力状態と対応付けて記憶されている前記空調イメージ音響データを、所定の空調イメージ音響データ変更操作部への入力操作内容に基づいて変更する空調イメージ音響データ変更手段を備える請求項１ないし請求項１１のいずれか１項に記載の車載用空調システム。
【発明の詳細な説明】
【技術分野】
【０００１】
本発明は、車両、特に自動車の車載用空調システムに関する。
【背景技術】
【０００２】
【特許文献１】特開２００４−３０６８２２号公報
【０００３】
従来、車室内における空調と音響との関係は、互いを阻害するものとして認識される傾向があった。即ち、空調装置の能力発揮を優先させようとすれば、空調出力に伴う吹出し音等の雑音により音響出力が聞き取り難くなるし、他方、音響出力の聞き易さを優先させようとすれば、空調装置の出力レベルを抑えて雑音の発生を抑えなければならないという認識があった。
【０００４】
そのため、空調出力と音響出力とを連動して変化させる技術として、例えば、音響出力レベルに応じて空調装置からの吹出し出力レベルを変化させる技術が特許文献１に開示されている。
【発明の開示】
【発明が解決しようとする課題】
【０００５】
ところで、車両用空調装置においては、近年においても尚、より一層の空調能力の向上と省エネ化が求められている。
【０００６】
本発明の課題は、より一層の能力向上と省エネ化を図ることができる車載用空調システムを提供することにある。
【課題を解決するための手段】
【０００７】
上記課題を解決するために、車載用空調システムは、空調出力状態設定操作部からの操作入力情報に基づいて、あるいは該操作入力情報と空調用センサからの検出結果情報とに基づいて、空調出力状態を設定する空調出力状態設定手段と、設定された該空調出力状態に基づいて空調出力制御を行なう空調出力制御手段とを備える車載用空調システムであって、
空調出力の設定内容に係るイメージを反映した空調イメージ音響データを、個々の空調出力状態と対応付けて記憶する空調イメージ音響データ記憶部と、
空調出力状態の設定内容に基づいて、空調イメージ音響データ記憶部から対応する空調イメージ音響データを選択する空調イメージ音響データ選択手段と、
選択された空調イメージ音響データを車室内に再生出力する空調イメージ音響データ再生出力手段と、
を備えることを特徴とする。
【０００８】
上記本発明においては、従来、車内空調に対して阻害関係にあると認識されていた車内音響を、車内空調のアシスト役として機能させる構成としている。即ち、空調出力時に、空調出力の設定内容に係るイメージを反映した空調イメージ音響データを同時に再生出力することにより、ユーザーは、空調気流による物理的な空調効果だけでなく、空調イメージ音響データの再生出力音を聞くことで上記物理的な空調効果と同様のイメージを得て心理的な空調効果を感じることができる。つまり、上記本発明は、体感面と心理面との双方による相乗的な空調効果を得られる構成となっており、従来よりも一層の空調能力の向上が図られている。
【０００９】
また、空調出力状態として冷房出力状態と暖房出力状態とを有し、空調イメージ音響データ記憶部に、冷房出力状態と暖房出力状態とにおいて互いに異なる空調イメージ音響データを対応付けて記憶しておくとともに、空調イメージ音響データ選択手段が、冷房出力状態と暖房出力状態とを特定して対応する空調イメージ音響データを空調イメージ音響データ記憶部から選択するように構成できる。この構成によると、冷房出力状態と暖房出力状態とにおいて、それぞれの状態のイメージを反映する空調イメージ音響データを再生出力することができるから、冷房効果及び暖房効果をより一層増すことができる。
【００１０】
さらに、空調イメージ音響データ記憶部に、冷房出力状態における空調出力レベルに対応付ける形で、空調イメージ音響データを記憶しておくとともに、空調イメージ音響データ選択手段が、冷房出力状態において空調出力レベルを特定した上で、特定された該空調出力レベルが大きくなるほど、より涼感を増す空調イメージ音響データを選択するように構成することができる。これにより、車室内が暑くて冷房能力をより大きく発揮したい時ほど、より涼しいイメージの空調イメージ音響データが再生出力されるので、ユーザーはより早く涼しさを感じることができる。
【００１１】
同様に、空調イメージ音響データ記憶部に、暖房出力状態における空調出力レベルに対応付ける形で、空調イメージ音響データを記憶しておくとともに、空調イメージ音響データ選択手段が、暖房出力状態において空調出力レベル温度差を特定した上で、特定された該空調レベルが大きくなるほどより温暖感を増す空調イメージ音響データを選択するように構成することができる。これにより、車室内が寒くて暖房能力をより大きく発揮したい時ほど、より暖かいイメージの空調イメージ音響データが再生出力されるので、ユーザーはより早く暖かさを感じることができる。
【００１２】
また、空調イメージ音響データが複数の種別に分類され、該種別に対応付ける形で該空調イメージ音響データを空調イメージ音響データ記憶部に記憶しておき、空調イメージ音響データ選択手段が、空調出力状態の設定内容に基づいて、対応する種別の空調イメージ音響データを空調イメージ音響データ記憶部から選択するように構成することができる。この構成によると、空調イメージ音響データに対して効果音や音楽といった種別分類を行ない、さらに、それら各種別の空調効果への貢献レベルの高低を定めておき、その上で、空調気流の吹出し設定温度と車内温度検出手段の検出温度との温度差や吹出し風量といった、空調出力状態の設定内容から判断される空調出力レベルに応じて、適切な貢献レベルを有する種別の空調イメージ音響データを選択することができる。つまり、空調出力レベルが高い場合には空調効果への貢献レベルの高い種別を、空調出力レベルが低い場合には空調効果への貢献レベルの低い種別を選択するようにすることができる。これにより、空調出力レベルに応じた適切な種別の空調イメージ音響データが再生出力され、特に、空調出力レベルが高い場合において、ユーザーはより早く所望の温感を感じることができる。
【００１３】
ところで、空調出力制御手段に対して、空調イメージ音響データが再生出力される場合に、空調出力状態設定手段により設定された空調出力状態を、空調出力レベルを下げる方向に補正する空調出力状態補正手段を設け、該空調出力制御手段が、その補正された空調出力状態に基づいて空調出力制御を行なうように構成することができる。この構成によると、空調イメージ音響データの再生出力による空調効果が付加された分、実際の空調出力レベルを下げて省エネ化を図ることができる。
【００１４】
空調出力を補正する上記構成の場合には、空調用センサとして車内温度を検出する車内温度検出手段を設けて、上記空調出力状態補正手段に、空調気流の吹出し温度が車内温度検出手段の検出温度に接近するように補正させることができる。また、空調出力状態補正手段に、空調気流の吹出し風量を減じる補正を行なわせることもできる。これらの場合、空調出力状態の補正を、該空調出力状態を設定する制御パラメータの変更により簡易に補正を行なうことができる。
【００１５】
また、空調出力を補正する上記構成の場合、空調イメージ音響データを、空調出力状態補正手段による補正内容と対応付けた形で、空調イメージ音響データ記憶部に記憶しておき、空調出力状態補正手段には、空調イメージ音響データ選択手段により選択された空調イメージ音響データに対応する補正内容にて、空調出力状態を補正させるように構成することができる。この構成によると、空調イメージ音響データ選択手段により空調イメージ音響データが選択された場合に、選択された空調イメージ音響データに対応する補正内容を読み出すだけで空調出力状態の補正内容を把握できるので、補正処理を簡略化できる。
【００１６】
ところで、本発明においては、空調イメージ音響データ再生出力手段により空調イメージ音響データの再生出力に伴い車内に出力される聴覚空調出力音の聞き取りを補助する聴覚空調出力音聞き取り補助手段を設けることができる。これにより、空調イメージ音響データの再生出力が聞き易くなり、空調効果を得易くなる。
【００１７】
この聴覚空調出力音聞き取り補助手段は、空調出力状態の設定内容に基づいて、聴覚空調出力音の聞き取り補助レベルを変更できるように構成できる。例えば、音響出力状態設定手段を、空調イメージ音響データの再生音量を変更することにより聴覚空調出力音の聞き取りを補助するものとし、聴覚空調出力音の聞き取り補助レベルとして該再生音量を変更設定するものとできる。具体的には、聴覚空調出力音聞き取り補助手段を、空調気流の吹出し風量が大きいほど再生音量を大きく設定するものとできる。車内空調は、空調出力レベルが大きくなるほど吹出し音等の雑音が大きくなるので、上記構成によると、空調出力状態の設定内容から雑音の大きさを判断して、聴覚空調出力音がユーザーに確実に聞こえるような再生音量を設定することができる。また、空調用センサとして車内温度を検出する車内温度検出手段を設けて、聴覚空調出力音聞き取り補助手段を、空調気流の吹出し設定温度と車内温度検出手段の検出温度との温度差が大きいほど再生音量を大きく設定することにより、聴覚空調出力音の聞き取りを補助するものとすることもできる。これらの場合、聞き取り補助レベルの変更を、空調制御に用いられる上記温度差や吹出し風量といった制御パラメータを用いて、容易に変更することができる。
【００１８】
なお、空調イメージ音響データ記憶部において個々の空調出力状態と対応付けて記憶されている空調イメージ音響データを、所定の空調イメージ音響データ変更操作部への入力操作内容に基づいて変更する空調イメージ音響データ変更手段を設けることができる。これにより、各空調出力状態において再生出力される空調イメージ音響データを、ユーザーの嗜好に応じて変更することができる。
【発明を実施するための最良の形態】
【００１９】
以下、本発明の実施の形態を、図面を参照して説明する。図１は、本発明の車載用空調システムの構成を示すブロック図である。図１に示す本実施形態における車載用空調システム１は、空調ＥＣＵ１００と、オーディオコントローラ６００と、ナビゲーション装置２００とが、車両内ＬＡＮ３００を介して（経由して）接続して構成されている。
【００２０】
空調ＥＣＵ１００には、図２に示すように、空調用センサ１２０、空調用駆動部１３０、及び操作部１４０が接続して構成されている。図３は、空調ＥＣＵ１００により制御される空調ユニットＵの全体構成を概略的に示す図である。空調ユニットＵは、いわゆるＨＶＡＣ（Heating, Ventilating and Air-Conditioning）ユニットであり、車室内の空調状態を運転席側と助手席側とで独立して調整可能に構成されている。
【００２１】
エアコンユニットＵのダクト２８には、車内空気を循環させるための内気吸込口４２と、車外の空気を取込む外気吸込口４１とが形成されており、内外気切替ダンパー２４によりいずれかに切替えて使用される。これら内気吸込口４２ないし外気吸込口４１からの空気は、ブロワ２１によってダクト２８内に吸い込まれる。ダクト２８内には、吸い込まれた空気を冷却して冷気を発生させるためのエバポレータ２２が設けられている。そして、エバポレータ２２よりも下流側（吹出口側）は、運転席側の吹出口４３〜４５へ至る経路と助手席側の吹出口４６，４７へ至る経路に分岐している。
【００２２】
なお、図３に示すように、エアコンユニットＵには吹出口として、フロントガラス曇り止め用のデフロスタ吹出口４３がフロントガラスの内面下縁に対応するインパネ上方奥に、運転席側フェイス吹出口４５がインパネの正面中央右寄りと右隅に、助手席側フェイス吹出口４６がインパネの正面中央左寄りと左隅に、運転席側フット吹出口４４がインパネ下面右奥の運転席側足元に、助手席側フット吹出口４７がインパネ下面左奥の助手席側足元に、それぞれ開口しており、図２の吹出口切替用ダンパー３２〜３６によってそれぞれ開閉状態が切替えられる。
【００２３】
空調ＥＣＵ１００に接続する空調用駆動部１３０（図１）は、上記吹出口切替用ダンパー３２〜３６や該ダンパー３２〜３６の開閉状態を切替えるダンパー駆動ギア機構３１、エアミックスダンパー２５，２６、内外気切替ダンパー２４、及びそれらを駆動するサーボモータ７１〜７４等である。これらサーボモータ（アクチュエータ）７１〜７４は、空調ＥＣＵ１００によって回転制御されるとともに、ロータの回転位置や回転速度等の情報を検出してエアコンＥＣＵ１００にフィードバックする。具体的には、駆動回路１３１〜１３４がエアコンＥＣＵ１００から駆動指令信号の入力を受けて、対応するサーボモータ７１〜７４を駆動する。
【００２４】
また、空調ＥＣＵ１００に接続される空調用センサ１２０（図１）は、車内温度を検出する内気温センサ（車内温度検出手段）１２１、車外温度を検出する外気温センサ（車外温度検出手段）１２２、エバポレータを通過した直後の空気の温度を検出するエバポレータ後センサ１２３、及び日射量を検出する日射センサ１２４等の周知の空調用センサからなる。
【００２５】
操作部１４０（図１）は、運転者及び助手席搭乗者により操作可能なインパネ正面中央に設けられたメインパネル２に設けられており、ＡＵＴＯスイッチ１４１，ＯＦＦスイッチ１４２，吹出口切替スイッチ（ＭＯＤＥスイッチ）１４３，内外気切替スイッチ１４４，風量切替スイッチ１４５，温度設定スイッチ１４６，デフロスタスイッチ１４７，Ａ／Ｃスイッチ１４８，独立／一括制御切替スイッチ（ＤＵＡＬスイッチ）１４９等の周知の空調用操作部により構成されている。
【００２６】
なお、メインパネル２には、空調用の操作部１４０の他、後述するオーディオ操作部６４０やナビゲーション装置２００の操作部が設けられるとともに、それら以外にも、他の車載用電子機器の操作を行なうための機器操作情報入力を行なうための操作部や表示画面が設けられている。さらに、後述する空調出力と同時に聴覚空調出力音を発生させるか否かを設定するための聴覚空調実行スイッチ１５０が設けられている。
【００２７】
空調ＥＣＵ１００は、ＣＰＵ、ＲＯＭ、ＲＡＭ等を備える周知の構成を有し、操作部１４０の操作状態や空調用センサ１２０の検出結果に基づいて空調用駆動部１３０を駆動制御することにより、吹出温度制御、風量制御、内気吸気・外気吸気切替制御、及び吹出口切替制御等の周知の空調制御を実行する。吹出温度制御は、ＡＵＴＯスイッチ１４１がオンとされている場合には、空調用センサ１２０の検出結果と温度設定スイッチ１４６の設定内容とに基づいて必要吹出温度ＴＡＯを算出し、その算出結果に基づいてエアミックスダンパー２５，２６を駆動制御するとともに、ＡＵＴＯスイッチ１４１がオフとされている場合には、温度設定スイッチ１４６により設定された温度で空調気流が吹き出されるようエアミックスダンパー２５，２６を駆動制御する。風量制御は、ＡＵＴＯスイッチ１４１がオンとされている場合には、算出された必要吹出温度ＴＡＯに基づいてブロワスピードを制御するとともに、ＡＵＴＯスイッチ１４１がオフとされている場合には、風量切替スイッチ１４５により設定された風量で空調気流が吹き出されるようブロワスピードを制御する。
【００２８】
つまり、空調ＥＣＵ１００は、空調用操作部１４０からの操作入力情報に基づいて、あるいは該操作入力情報と空調用センサ１２０からの検出結果情報とに基づいて、空調出力状態を設定する空調出力状態設定手段として機能するとともに、設定された該空調出力状態に基づいて空調出力制御を行なう空調出力制御手段としても機能する。具体的にいえば、空調ＥＣＵ１００において、ＣＰＵがＲＯＭに格納される空調制御プログラムＰＧ（図２）を実行することにより、算出された空調制御用パラメータ（空調出力状態）がＲＡＭの所定領域に記憶され、記憶されたパラメータに基づいて空調出力制御が実行される。つまり、空調ＥＣＵ１００が空調出力状態設定手段及び空調出力制御手段として機能する。
【００２９】
オーディオコントローラ６００は、車載オーディオ装置の制御部をなすものであり、ＣＰＵ、ＲＯＭ、ＲＡＭ等を備える周知の構成を有するとともに、図２０に示すように、所定のメディア（記憶媒体）６９２から音楽ソースデータを取得する音楽データ入力器６９１と、音楽ソースデータを記憶する外部記憶装置である音楽データベース６９３と、オーディオ駆動部６３０と、オーディオ操作部６４０とが接続している。オーディオ操作部６４０は、ボリューム調整操作部６４１、メディア選択操作部６４２、選曲操作部６４３等の周知のオーディオ用操作部として構成されている。なお、本実施形態における音楽データベース６９３は、ナビゲーション装置２００のデータ記憶装置（ハードディスクドライブ：以下、ＨＤＤと称する）２００Ｈとして構成されており、車内用ＬＡＮ３００を介してオーディオコントローラ６００に接続しているが、空調ＥＣＵ１００に設けられた記憶部等、オーディオコントローラ６００と通信可能に接続された記憶部であればよい。
【００３０】
オーディオコントローラ６００は、メディア選択操作部６４２や選曲操作部６４３により出力対象曲が指定されると、指定された曲の音楽ソースデータを、メディア６９２あるいは音楽データベース６９３から読み出して、オーディオ駆動部６３０に出力する。その音楽ソースデータは、駆動部６３０において、まず、デコード部６３１によりデジタル音楽波形データにデコードされ、アナログ変換部６３２でアナログ変換された後、プリアンプ６３３及びパワーアンプ６３４を経て、指定されたボリュームにてスピーカ６３５から出力される。
【００３１】
ナビゲーション装置２００は、周知の地磁気センサ・ジャイロスコープ・距離センサ・ＧＰＳ受信機等を備えてなる自車両位置検出器、地図データ等及び経路案内実行のためのナビゲーションプログラム等を記憶するデータ記憶装置（ＨＤＤ）２００Ｈの他、表示装置２１０、音声出力装置、操作部（メインパネル２の操作部に含まれる）等を備える周知の構成を有するものである。
【００３２】
本実施形態における表示装置２１０は、周知のカラー液晶表示器で構成されており、ドット・マトリックスＬＣＤ（Liquid  Crystal  Display）およびＬＣＤ表示制御を行なうための図示しないドライバ回路を含んで構成されている。ドライバ回路は、例えば、画素毎にトランジスタを付けて目的の画素を確実に点灯させたり消したりすることができるアクティブマトリックス駆動方式が用いられ、ナビゲーション装置の制御回路から送られる表示指令および表示画面データに基づいて表示を行なう。また、表示装置２１０として有機ＥＬ（ElectroLuminescence：電界発光）表示器，プラズマ表示器を用いてもよい。
【００３３】
また、ナビゲーション装置２００の図示しない音声出力装置は、周知の音声合成回路に接続されたスピーカであり、ナビゲーション装置２００の制御回路からの指令によって、該ナビゲーション装置２００のメモリあるいはＨＤＤ２００Ｈに記憶されているデジタル音声データを、音声合成回路においてアナログ音声に変換し、該スピーカから出力する。なお、音声合成の方法には、音声波形をそのままあるいは符号化して蓄積しておき必要に応じて繋ぎ合わせる録音編集方式、文字入力情報からそれに対応する音声を合成するテキスト合成方式などがある。
【００３４】
ところで、上記構成を有する車載用空調システム１において、ナビゲーション装置２００のＨＤＤ（空調イメージ音響データ記憶部）２００Ｈには、図５に示すように、空調出力の設定内容に係るイメージを反映した空調イメージ音響データが、個々の空調出力状態と対応付けて記憶されている。空調出力状態には、冷房出力状態と暖房出力状態とによる分類があり、ＨＤＤ２００Ｈには、冷房出力状態と暖房出力状態とのそれぞれに対応付けた形で、互いに異なる空調イメージ音響データが記憶されている。また、冷房出力状態と暖房出力状態との分類の中で、空調イメージ音響データは複数の種別（音響種別）に分類されてＨＤＤ２００Ｈに記憶されている。本実施形態においては、空調イメージ音響データに対して効果音と音楽とによる種別分類を行なっている。他にも、音楽をクラシックやポップスのようなジャンルにより分類したり、歌の有り無しで分類したりしてもよい。本実施形態においては、図５に示すように、冷房出力状態と暖房出力状態とのそれぞれに対し、効果音と音楽とに貢献よる種別分類がなされており、それら種別毎に対応する空調イメージ音響データが登録されている。
【００３５】
また、本実施形態においては、この登録内容をユーザーにより変更することができる。つまり、ＨＤＤ２００Ｈにおいて個々の空調出力状態と対応付けて記憶されている空調イメージ音響データを、所定の操作部（空調イメージ音響データ書換操作部）への入力操作内容に基づいて変更することができる。ＨＤＤ２００Ｈには、図６に示すように、上記種別分類毎に、複数の空調イメージ音響データが既に記憶されているので、表示装置２１０に設けられた所定操作部への操作に基づいて、該表示装置２１０の画面上に、図７に示す空調イメージ音響データ設定変更画面２１０又は２２０を表示して、該画面上のタッチスイッチ２１１（２１１ａ〜２１１ｈ），２２１（２２１ａ〜２２１ｈ）から種別分類毎の空調イメージ音響データを選択する形で、現在、上記種別分類毎に設定されている空調イメージ音響データを別のものに変更することができる。本実施形態においては、画面２１０又は２２０上から、まずは、タッチスイッチ２１１ａ，２１１ｂ又は２２１ａ，２２１ｂをタッチ操作して、それらスイッチに対応する種別において変更対象とされている空調イメージ音響データの一覧を表示させる。そして、その一覧の中に表れる指示枠を上下スクロールスイッチ２１１ｃ，２１１ｄ又は２２１ｃ，２２１ｄを操作して動かし、選択したい空調イメージ音響データの名称の上に該指示枠が位置する状態で、選択スイッチ２１１ｅをタッチ操作する。これにより、該指示枠が位置していた名称の空調イメージ音響データが選択された形で一覧が閉じる。この状態で、決定スイッチ２１１ｈ又は２２１ｈをタッチ操作することで、選択された空調イメージ音響データが各種別に対応付けられた形で設定される。即ち、ＨＤＤ２００Ｈに記憶されている図５のテーブルが書き換えられる。なお、タッチスイッチ２１１ｆ、２２１ｆをタッチ操作することで、図７（ａ）及び図７（ｂ）の画面を切り替えることができる。また、初期設定スイッチ２１１ｇ，２２１ｇをタッチ操作することで選択内容がデフォルト設定に変更される。本実施形態においては、ＨＤＤ２００Ｈへの書き換えは、表示装置２１０のタッチ操作に基づいてナビゲーション装置２００の制御部が主体となって行なう。つまり、ナビゲーション装置２００の制御部が空調イメージ音響データ書換手段として機能する。なお、ユーザーによりＨＤＤ２００Ｈに記憶された音楽データが空調イメージ音響データとして選択されてもよい。
【００３６】
そして、本実施形態の車載用空調システム１においては、聴覚空調実行スイッチ１５０がオンに操作された状態で空調出力が開始されると、空調ＥＣＵ１００により、現在の空調出力状態の設定内容に基づいて、図５のテーブルに記憶された空調イメージ音響データが選択されて、選択された空調イメージ音響データが車室内に再生出力される。即ち、空調ＥＣＵ１００が、現在の空調出力状態が暖房出力状態であるか冷房出力状態であるか、出力レベルが大であるか小であるか等に基づいて、ＨＤＤ２００Ｈから対応する空調イメージ音響データを選択するとともに、選択された空調イメージ音響データを車室内に再生出力するようにオーディオコントローラ６００に再生出力要求信号を送信する。そして、オーディオコントローラ６００は該再生出力要求信号を受信すると、受信した再生出力要求信号に基づいてオーディオ駆動部６３０に再生出力指示信号を送信し、最終的にはスピーカ６３５から、選択された空調イメージ音響データが聴覚空調出力音として出力される。
【００３７】
これらの空調ＥＣＵ１００の処理は、具体的にいえば、空調ＥＣＵ１００において、ＣＰＵがＲＯＭに格納される空調制御プログラムＰＧ（図２）を実行することによりなされる。つまり、空調ＥＣＵ１００が空調イメージ音響データ選択手段であり、オーディオコントローラ６００及びその制御対象となるオーディオ駆動部６３０が空調イメージ音響データ再生出力手段として機能する。以下、空調制御プログラムＰＧの処理の流れを図８及び図９のフローチャートを用いて説明する。
【００３８】
まず、Ｓ１にて空調ＥＣＵが空調制御状態を算出・設定する。具体的には、吹出温度制御、風量制御、内気吸気・外気吸気切替制御、及び吹出口切替制御等に関する制御パラメータの算出等を行なう。そして、Ｓ２では、聴覚空調実行スイッチ１５０の操作状態を判定する。聴覚空調実行スイッチ１５０がオフであればＳ９に進み、通常の空調制御を開始する。他方、聴覚空調実行スイッチ１５０がオンであった場合にはＳ３に進む。
【００３９】
Ｓ３では、Ｓ１において算出・設定された空調制御状態から、実行される空調出力が冷房・暖房のどちらであるかを判定する。冷房である場合にはＳ４に進み、暖房である場合にはＳ５に進む。そして、Ｓ４及びＳ５において、再生出力する空調イメージ音響データを選択するとともに、その出力設定状態を決定する。具体的には、図９に示す流れの処理が実行される。
【００４０】
即ち、まず、Ｓ１１にて、オーディオ装置が音楽や番組放送を出力中であるか否かを判定する。出力中であればＳ１２進み、図５のテーブルに設定されている効果音（冷房のときは冷房に対応する効果音、暖房のときは暖房に対応する効果音）を選択する。続いてＳ１３では、現在再生中の出力音量を取得し、Ｓ１４では、取得した出力音量に基づいて効果音の再生音量を設定する（聴覚空調出力音聞き取り補助手段）。即ち、現在の音楽や番組放送を出力した状態のままでも当該効果音が確実に聞こえるように、現在の出力音量が大きいほど効果音の再生音も大きく設定し、逆に現在の出力音量が小さいほど効果音の再生音量も小さく設定する。そして、図８に戻り、Ｓ６に進む。
【００４１】
他方、Ｓ１１にて、オーディオ装置が出力中でないと判定された場合には、Ｓ１５進み、図５のテーブルに設定されている効果音（冷房のときは冷房に対応する効果音、暖房のときは暖房に対応する効果音）及び音楽、即ち複合音響を選択する。続いてＳ１６では、効果音及び音楽の再生音量を予め定められた音量に設定する。そして、図８に戻り、Ｓ６に進む。
【００４２】
図８に戻る。図８のＳ６では、Ｓ１で設定された空調出力状態を、空調出力レベルを下げる方向に補正する（空調出力状態補正手段）。具体的には、図１０に示すように、空調気流の吹出し温度を内気温センサ１２１の検出温度に接近させる向きに補正と、空調気流の吹出し風量を減じる補正とを同時に実行する。なお、これらのうちいずれか一方のみの補正を行なってもよい。本実施形態においては、吹出し設定温度を一定比率（例えば８０％）だけ現在の車室内温度に近づけた上で、必要吹出し温度（目標吹出し温度）ＴＡＯの再算出を行なう。なお、この場合、吹出し風量も必要吹出し温度ＴＡＯの再算出結果に基づいて、空調出力レベルを下げる方向に変更される。
【００４３】
そして、Ｓ７では、Ｓ６にて補正された空調出力状態に基づいて空調出力を開始する。また、Ｓ８では、Ｓ４又はＳ５の音響出力設定に基づいて音響出力、即ち空調イメージ音響データの再生出力を開始する。
【００４４】
これにより、従来、車内空調に対して阻害関係にあると認識されていた車内音響を、車内空調のアシスト役として機能させて、従来よりも、ユーザーの感じる空調出力効果を増すことができる。つまり、空調出力時に、空調イメージ音響データを同時に再生出力することにより、ユーザーは、空調気流による物理的な空調効果だけでなく、空調イメージ音響データの再生出力音（聴覚空調出力音）を聞くことで上記物理的な空調効果と同様のイメージを得て心理的な空調効果を感じることができる。
【００４５】
また、オーディオ出力時には、聴覚空調出力音として効果音のみが出力されるので、再生されている音楽ないしは番組放送の視聴を大きく妨げることがない。
【００４６】
以上、本発明の実施形態を説明したが、これらはあくまで例示にすぎず、本発明はこれらに限定されるものではなく、特許請求の範囲の趣旨を逸脱しない限りにおいて種々の変更が可能である。
【００４７】
例えば、空調イメージ音響データの選択に関して、以下のようにすることができる。
【００４８】
ＨＤＤ２００Ｈに、冷房出力状態における、空調気流の吹出し設定温度と内気温センサ１２１の検出温度との温度差に対応付ける形で、空調イメージ音響データを記憶しておくとともに、空調イメージ音響データ選択手段１００が、冷房出力状態における該温度差を特定した上で、特定された該温度差が大きくなるほど、より涼感を増す空調イメージ音響データを選択するようにできる。これにより、車室内が暑くて冷房能力をより大きく発揮したい時ほど、より涼しいイメージの空調イメージ音響データが再生出力されるので、ユーザーはより早く涼しさを感じることができる。
【００４９】
加えて、ＨＤＤ２００Ｈに、暖房出力状態における、空調気流の吹出し設定温度と内気温センサ１２１の検出温度との温度差に対応付ける形で、空調イメージ音響データを記憶しておくとともに、空調イメージ音響データ選択手段１００が、暖房出力状態における温度差を特定した上で、特定された該温度差が大きくなるほどより温暖感を増す空調イメージ音響データを選択するようにできる。これにより、車室内が寒くて暖房能力をより大きく発揮したい時ほど、より暖かいイメージの空調イメージ音響データが再生出力されるので、ユーザーはより早く暖かさを感じることができる。
【００５０】
この場合、ＨＤＤ２００Ｈには、冷房出力状態及び暖房出力状態に対応して複数の空調イメージ音響データを記憶しておくとともに、それら記憶された各空調イメージ音響データに、空調効果への貢献レベル（以下、空調貢献レベルともいう）の高低を予め定めておく。そして、空調気流の吹出し設定温度（又は必要吹出し温度）と内気温センサ１２１の検出温度との温度差や、吹出し風量といった、空調出力状態の設定内容から判断される空調出力レベルに応じて、適切な空調貢献レベルを有する空調イメージ音響データを選択するようにできる。つまり、空調出力レベルが高い場合には空調貢献レベルの高い空調イメージ音響データを選択でき、他方、空調出力レベルが低い場合には空調貢献レベルの低い空調イメージ音響データを選択できるのである。これにより、空調出力レベルに応じた適切な空調イメージ音響データを再生出力することができる。特に、空調出力レベルが高い場合は、ユーザーの望む空調状態が現状から大きくかけ離れている状態であるから、空調貢献レベルがより高い空調イメージ音響データを選択して再生出力することで、ユーザーはより早く所望の温感を感じることができる。
【００５１】
なお、上記のように、空調貢献レベルの高低を空調イメージ音響データ毎に定めておくのではなく、上記種別（音響種別）毎に予め定めておいてもよい。この場合、ＨＤＤ２００Ｈには、複数の種別に対応付けての空調イメージ音響データを記憶しておくとともに、それら記憶された各種別に対し、空調貢献レベルの高低を予め定めておく。そして、空調気流の吹出し設定温度（又は必要吹出し温度）と内気温センサ１２１の検出温度との温度差や、吹出し風量といった、空調出力状態の設定内容から判断される空調出力レベルに応じて、適切な空調貢献レベルを有する種別の空調イメージ音響データを選択することができる。つまり、空調出力レベルが高い場合には空調貢献レベルの高い種別を選択でき、空調出力レベルが低い場合には空調貢献レベルの低い種別を選択できるのである。
【００５２】
次に、聴覚空調出力音の聞き取り補助に関して、以下のようにすることができる。
【００５３】
上記実施形態においては、図９のＳ１４やＳ１６のような空調イメージ音響データの再生音量の設定により、聴覚空調出力音聞き取り補助が行なわれているが、これ以外の方法であってもよい。例えば、再生音量の全音域を変化させるのではなく、その高音域及び低音域をその間の中音域に比べて相対的に変化させる形で行なってもよい。また、空調気流の吹出し音等の雑音を打ち消すノイズキャンセリング装置を用いてもよい。
【００５４】
また、聴覚空調出力音の聞き取り補助レベルの変更を、空調出力状態の設定内容に基づいて行なうことができる。車内空調は、空調出力レベルが大きくなるほど吹出し音等の雑音が大きくなり聴覚空調出力音が聞こえ難くなる。ところが、こうした雑音の大小は、吹出し風量の大小といった空調出力状態の設定内容から判断することができる。上記構成によると、空調出力状態から判断できる雑音の大きさを考慮して、聴覚空調出力音の聞き取り補助レベルを変更することができる。これにより、ユーザーが聴覚空調出力音を確実に聞けるようになる。
【００５５】
具体的には、図１１に示すように、空調気流の吹出し風量が大きいほど聞き取り補助レベルを大きく設定することにより、聴覚空調出力音の聞き取りを補助することができる。また、空調気流の吹出し設定温度（又は必要吹出し温度）と、内気温センサ１２１の検出温度との温度差が大きいほど聞き取り補助レベル（例えば上記空調イメージ音響データの再生音量）を大きく設定することにより、聴覚空調出力音の聞き取りを補助してもよい。これらの構成によると、空調制御に用いられる上記温度差や吹出し風量といった空調出力の設定パラメータを用いることで、聞き取り補助レベルの変更が容易となる。
【００５６】
また、上記した空調イメージ音響データの選択に関して、聴覚空調出力音の聞き取り補助レベルを用いることで、以下のようにすることができる。
【００５７】
即ち、聴覚空調出力音の聞き取り補助レベルと、空調出力状態の設定内容から判断される空調出力レベルとに基づいて、空調イメージ音響データ、あるいは（空調イメージ音響データの）種別を選択することができる。これにより、より適切な空調貢献レベルを有する空調イメージ音響データを選択可能となる。例えば、図１２に示すように、空調気流の吹出し設定温度（又は必要吹出し温度）と内気温センサ１２１の検出温度との温度差と、空調イメージ音響データの再生音量とに基づいて、空調貢献レベルの高い種別と低い種別とを切り替えて選択させることができる。図１２の場合、空調貢献レベルの高い種別である音楽と、低い種別である効果音とを切り替える閾値（種別切替閾値）が、聴覚空調出力音の聞き取り補助レベルである空調イメージ音響データの再生音量に応じてダイナミックに変化している。再生音量が大きいほど聴覚空調出力音による空調効果は大となるので、図１２では、該聞き取り補助レベルが大きいほど、空調貢献レベルの低い種別が選択されるように、種別切替閾値が定められているのである。なお、吹出し風量と空調イメージ音響データの再生音量とに基づいて、空調イメージ音響データないしその種別を選択することもできる。
【００５８】
また、空調出力の補正に関して、以下のようにすることができる。
【００５９】
例えば、上記したような空調イメージ音響データの各種選択方法のいずれかにより、空調イメージ音響データが選択されることを前提として、空調出力の補正することを考える。この場合、まずは、その空調イメージ音響データの選択の前に、選択対象となる各空調イメージ音響データ（あるいは上記種別）に対して、上記した空調貢献レベルを予め設定しておく。そして、再生出力される空調イメージ音響データが選択された場合に、その空調イメージ音響データの該貢献レベルに基づいて、空調出力状態を変更するようにする。つまり、選択された空調イメージ音響データの空調貢献レベルが高いほど、空調出力をより大きく低下させる補正を行ない、逆に、選択された空調イメージ音響データの空調貢献レベルが低いほど、空調出力をより小さく低下させる補正を行なうのである。これにより、空調貢献レベルの高い空調イメージ音響データが選択された場合には、より大きな空調効果が期待できるので、その分だけ、空調気流による空調出力レベルを大きく低下させて省エネ化を図ることができるし、空調貢献レベルの低い空調イメージ音響データが選択された場合であっても、それに見合った分の省エネ化を図ることができる。
【００６０】
また、空調出力を補正する構成の場合、空調イメージ音響データを補正内容と対応付けた形でＨＤＤ２００Ｈに記憶しておき、再生出力される空調イメージ音響データが選択された場合に、選択された空調イメージ音響データに対応する補正内容を読み出して、その内容に基づいて空調出力状態を補正することができる。
【００６１】
この場合、空調貢献レベルの異なる複数の空調イメージ音響データ毎に補正内容を対応付けてＨＤＤ２００Ｈに記憶するのではなく、空調貢献レベルの高低に基づく種別分類を行なって、それら種別に対応させる形で、補正内容をＨＤＤ２００Ｈに設定しておいてもよい。例えば、図１５に示すように、空調貢献レベルの高低に基づく種別分類として、第一種別と、それよりも空調貢献レベルが高い第二種別とを設けることができる。なお、図１５の場合は、第一種別と第二種別の補正内容が、暖房出力状態と冷房出力状態とにおいて、共通に定められている。このため、空調出力を補正する際に、現在の空調出力状態が暖房出力状態及び冷房出力状態のいずれであるかを判断することなく、選択された空調イメージ音響データの種別を判定するだけで、空調出力状態の補正内容を把握することができるので、補正処理が簡単になる。
【００６２】
また、空調出力を補正する構成においては、聴覚空調出力音の聞き取り補助レベルが高くなるほど、空調出力の補正量を大とすることができる。例えば、図１２のように空調イメージ音響データの種別切り替えを行なう場合は、図１３に示すように、空調イメージ音響データの再生音量が大きくなるほど空調出力（目標吹出し温度と吹出し風量）の補正量を大とすることができる。ただし、図１２の場合、空調イメージ音響データの再生音量（聞き取り補助レベル）が大きくなると、空調貢献レベルの低い種別（効果音）から高い種別（音楽）に切り替わる。このため、聞き取り補助レベルが高くなるほど空調出力の補正量が大となるように定められているものの、補正量の増加率は、種別切替閾値（種別切替閾点）を境に減じられる。つまり、空調イメージ音響データの種別が切り替わることで、聴覚空調出力音による空調効果が著しく増すので、その増分だけ補正量を増やすことができる。これにより、より効果的な省エネ化を図ることができる。
【００６３】
なお、上記してきた空調貢献レベルは、ユーザーにより設定可能としてもよい。
【００６４】
例えば、図１４に示すように、空調イメージ音響データとして登録された全データの中から、第一音響データ（図中の音響１）と、それよりも空調貢献レベルが高い第二音響データ（図中の音響２）とを、ユーザーが任意に設定できるようにしてもよい。具体的には、表示装置２１０に設けられた所定操作部への操作に基づいて、該表示装置２１０の画面上に、図１４に示す空調イメージ音響データ設定変更画面２３０を表示して、該画面上のタッチスイッチ２３１（２３１ａ〜２３１ｈ）から全空調イメージ音響データの中から音響１と音響２に対し１つずつを選択する形で変更する。図１４の場合、画面２３０上から、まずは、タッチスイッチ２３１ａ，２３１ｂをタッチ操作して、それらスイッチに対応する（空調効果への）貢献レベルに対して、設定可能な空調イメージ音響データの一覧を表示させる。なお、ここでの空調イメージ音響データの一覧は、該貢献レベルに関らず同じ内容となる。そして、その一覧の中に表れる指示枠を上下スクロールスイッチ２３１ｃ，２３１ｄを操作して動かし、選択したい空調イメージ音響データの名称の上に該指示枠が位置する状態で、選択スイッチ２３１ｅをタッチ操作する。これにより、該指示枠が位置していた名称の空調イメージ音響データが選択された形で一覧が閉じる。この状態で、決定スイッチ２３１ｈをタッチ操作することで、選択された空調イメージ音響データが各種別に対応付けられた形で設定される。即ち、ＨＤＤ２００Ｈに記憶されている図５のテーブルが書き換えられる。なお、タッチスイッチ２３１ｆは、冷房出力状態の設定画面と暖房出力状態の設定画面を切り替えるものである。また、初期設定スイッチ２３１ｇをタッチ操作することで選択内容がデフォルト設定に変更される。
【００６５】
また、空調イメージ音響データの再生音量の設定に関して、以下のようにすることができる。
【００６６】
例えば、空調イメージ音響データの再生音量の設定は、空調出力状態の設定内容、特に空調気流の吹出し風量に基づいて行なうことができる。具体的にいえば、吹出し風量が大となるほど再生音量が大となるように設定することができる。これにより、ユーザーが空調イメージ音響データの再生音（聴覚空調出力音）を確実に聞き取れるように、空調出力に伴い発生する雑音を考慮して、空調イメージ音響データの再生音量を設定することができる。ところが、ユーザーの耳に全く聞こえないのでは空調効果は得られないし、逆に音が大きすぎるとユーザーは不快に感じるので、図１１に示すように、吹出し風量の変化に伴い変更される空調イメージ音響データの再生音量に、上限値と下限値を設定し、それを越える変更を禁止する。なお、これら上限値及び下限値は、空調イメージ音響データがオーディオ駆動部６３０から再生出力される場合、該オーディオの最大音量設定と最小音量設定との間の範囲内で定めるようにする。
【００６７】
また、空調イメージ音響データの再生音量の設定は、ボリューム調整操作部６４１の設定内容に基づいて設定することができる。具体的にいえば、ボリューム調整操作部６４１による音量設定値の所定割合（例えば８０％）として、固定的に定めることができる。この場合、ボリューム調整操作部６４１が音量無し状態に設定されている場合には、ユーザー意図が優先されるように、空調イメージ音響データの再生音量も音量無しと設定するようにする。
【００６８】
なお、以上において例示した全ての実施形態における要素を組み合わせて実施することは当然可能である。
【００６９】
また、上記実施形態における車載用空調システムは、車載空調装置と車載オーディ装置との通信による連携制御により実現されているが、車載空調装置にオーディオ装置の機能を搭載して実現することも可能である。
【図面の簡単な説明】
【００７０】
【図１】車載用空調システムの概略ブロック図。
【図２】空調制御装置の全体構成を概略的に示すブロック図。
【図３】車室内に配された吹出口の位置関係を示す図。
【図４】オーディオ装置の全体構成を概略的に示すブロック図。
【図５】空調イメージ音響データの設定テーブル。
【図６】空調イメージ音響データとして設定可能な音響データを示す図。
【図７】空調イメージ音響データの設定画面の一例を示す図。
【図８】本実施形態における空調制御処理の流れを説明するフローチャート。
【図９】音響選択処理の流れを説明するフローチャート。
【図１０】空調出力の補正を説明するグラフ。
【図１１】吹出し風量と、空調イメージ音響データの再生音量との関係を示すグラフ。
【図１２】吹出し温度と現在温度との温度差と、空調イメージ音響データの再生音量との関係を示すグラフ。
【図１３】空調出力の補正量を説明するグラフ。
【図１４】図７とは異なる、空調イメージ音響データの設定画面の一例を示す図。
【図１５】空調イメージ音響データの種別と、空調出力の補正内容との対応関係を示すテーブル。
【符号の説明】
【００７１】
１  車載用空調システム
２  メインパネル
１００  空調ＥＣＵ（空調イメージ音響データ選択手段）
１２１  内気温センサ（車内温度検出手段）
１４６  温度設定スイッチ
１５０  聴覚空調実行スイッチ
２００  ナビゲーション装置（空調イメージ音響データ書換手段）
２００Ｈ  データ記憶装置（ハードディスクドライブ（ＨＤＤ）：空調イメージ音響データ記憶部）
２１０  表示装置
２１１（２１１ａ〜２１１ｈ），２２１（２２１ａ〜２２１ｈ）  タッチスイッチ（空調イメージ音響データ書換操作部）
６００  オーディオコントローラ（空調出力状態設定手段、空調出力制御手段、空調イメージ音響データ再生出力手段、空調出力状態補正手段、聴覚空調出力音聞き取り補助手段）
６３０  オーディオ駆動部（空調イメージ音響データ再生出力手段）
６３５  スピーカ
【図１】
2008230400.tif 000003
【図２】
2008230400.tif 000004
【図３】
2008230400.tif 000005
【図４】
2008230400.tif 000006
【図５】
2008230400.tif 000007
【図６】
2008230400.tif 000008
【図７】
2008230400.tif 000009
【図８】
2008230400.tif 000010
【図９】
2008230400.tif 000011
【図１０】
2008230400.tif 000012
【図１１】
2008230400.tif 000013
【図１２】
2008230400.tif 000014
【図１３】
2008230400.tif 000015
【図１４】
2008230400.tif 000016
【図１５】
2008230400.tif 000017